(57)【要約】      （修正有）【課題】  高画質の画像を撮影すると同時に、撮影条件にかかわる情報を検出できる撮像装置を提供する。【解決手段】  撮像装置は、撮像部１７と、光学ファインダ１９〜２３と、検出部１５と、光学素子１４とを備える。撮像部は、撮影レンズ１３による被写体像を撮像する。光学ファインダは、被写体像を観察するために用いられる。検出部は、撮影レンズからの光束によって撮像部の撮影条件にかかわる情報を検出する。光学素子１４は、撮影レンズからの光路上に配置される。この光学素子は、光束の一部を反射して撮像部および光学ファインダに選択的に導くとともに、検出部に上記光束の反射をしなかった残りを導く。【選択図】  図１
2008014998.tif 000002
【特許請求の範囲】
【請求項１】
撮影レンズによる被写体像を撮像する撮像部と、
前記被写体像を観察するための光学ファインダと、
前記撮影レンズからの光束によって前記撮像部の撮影条件にかかわる情報を検出する検出部と、
前記撮影レンズからの光路上に配置され、前記光束の一部を反射して前記撮像部および前記光学ファインダに選択的に導くとともに、前記検出部に前記光束の前記反射をしなかった残りを導く光学素子と、
を備えることを特徴とする撮像装置。
【請求項２】
請求項１に記載の撮像装置において、
前記光学素子は、前記撮影レンズと前記検出部とを結ぶ直線上に配置され、
前記撮像部および前記光学ファインダは、前記直線と交差する方向にそれぞれ配置されることを特徴とする撮像装置。
【請求項３】
請求項１または請求項２に記載の撮像装置において、
前記光学素子は、撮影時に前記撮像部に前記光束を導くことを特徴とする撮像装置。
【請求項４】
請求項１または請求項２に記載の撮像装置において、
前記撮像部に前記光束を導く状態に前記光学素子を維持する第１撮影モードを選択可能なモード切替部をさらに備えることを特徴とする撮像装置。
【請求項５】
請求項４に記載の撮像装置において、
前記モード切替部は、前記第１撮影モードと、撮影時に前記光学素子の移動によって前記撮像部に前記光束を導く第２撮影モードとを切替可能であることを特徴とする撮像装置。
【請求項６】
請求項１から請求項５のいずれか１項に記載の撮像装置において、
前記光学素子は、軸まわりに回動する平板状のミラーであって、前記撮像部および前記光学ファインダの一方に前記光束を導く第１状態と、前記撮像部および前記光学ファインダの他方に前記光束を導く第２状態とで、前記光束が前記ミラーに入射する面を変えることを特徴とする撮像装置。
【請求項７】
請求項１から請求項６のいずれか１項に記載の撮像装置において、
前記光学ファインダから前記光束中へ入射する入射光を遮る遮光部をさらに備えることを特徴とする撮像装置。
【請求項８】
請求項１から請求項６のいずれか１項に記載の撮像装置において、
前記光学素子が前記撮像部に前記光束を導く状態で、前記撮像部の撮影した画像を前記光学ファインダの光軸上に合成する合成表示部をさらに備えることを特徴とする撮像装置。
【請求項９】
請求項１から請求項６のいずれか１項に記載の撮像装置において、
前記光学素子の切り替えに伴う前記検出部への入射光のズレを調整するズレ調整部をさらに備えることを特徴とする撮像装置。
【請求項１０】
請求項１から請求項６のいずれか１項に記載の撮像装置において、
前記光学素子の切り替えに伴う前記検出部への入射光のズレに基づいて、検出結果を補正する補正部をさらに備えることを特徴とする撮像装置。
【請求項１１】
請求項１から請求項６のいずれか１項に記載の撮像装置において、
前記検出部は、前記撮像部による撮像と同時に前記撮影条件にかかわる情報を検出する処理を実行できることを特徴とする撮像装置。
【発明の詳細な説明】
【技術分野】
【０００１】
本発明は、被写体の撮影中に焦点検出可能な撮像装置に関する。
【背景技術】
【０００２】
位相差検出方式の焦点検出装置でオートフォーカス（ＡＦ）を行いつつ、電子モニタへの表示用画像を撮影できるカメラが従来から公知である。例えば、特許文献１に上記のカメラの構成の一例を示す。
【特許文献１】特開２００４−２６４８３２号公報
【発明の開示】
【発明が解決しようとする課題】
【０００３】
しかし、従来のカメラにおいて、位相差検出方式でのＡＦを行いつつ撮影を行う場合には、ミラーを透過した光束によって画像が撮影される。そのため、位相差検出方式のＡＦを行っている状態では、撮影した画像の画質が劣化する点で改善の余地があった。
本発明は上記従来技術の課題に鑑みたものであって、その目的は、高画質の画像を撮影しつつ、撮像部と別のモジュールで撮影条件にかかわる情報を検出することができる撮像装置を提供することである。
【課題を解決するための手段】
【０００４】
第１の発明に係る撮像装置は、撮像部と、光学ファインダと、検出部と、光学素子とを備える。撮像部は、撮影レンズによる被写体像を撮像する。光学ファインダは、被写体像を観察するために用いられる。検出部は、撮影レンズからの光束によって撮像部の撮影条件にかかわる情報を検出する。光学素子は、撮影レンズからの光路上に配置される。この光学素子は、光束の一部を反射して撮像部および光学ファインダに選択的に導くとともに、検出部に上記光束の反射をしなかった残りを導く。
【０００５】
第２の発明は、第１の発明において、光学素子は、撮影レンズと検出部とを結ぶ直線上に配置される。また、撮像部および光学ファインダは、直線と交差する方向にそれぞれ配置される。
第３の発明は、第１または第２の発明において、光学素子は、撮影時に撮像部に光束を導く。
【０００６】
第４の発明は、第１または第２の発明において、撮像装置はモード切替部をさらに備える。モード切替部は、撮像部に光束を導く状態に光学素子を維持する第１撮影モードを選択可能である。
第５の発明は、第４の発明において、モード切替部は、第１撮影モードと、撮影時に光学素子の移動によって撮像部に光束を導く第２撮影モードとを切替可能である。
【０００７】
第６の発明は、第１から第５のいずれかの発明において、光学素子は、軸まわりに回動する平板状のミラーであって、撮像部および光学ファインダの一方に光束を導く第１状態と、撮像部および光学ファインダの他方に光束を導く第２状態とで、光束がミラーに入射する面を変える。
第７の発明は、第１から第６のいずれかの発明において、撮像装置は遮光部をさらに備える。遮光部は、光学ファインダから光束中へ入射する入射光を遮る。
【０００８】
第８の発明は、第１から第６のいずれかの発明において、撮像装置は合成表示部をさらに備える。合成表示部は、光学素子が撮像部に光束を導く状態で、撮像部の撮影した画像を光学ファインダの光軸上に合成する。
第９の発明は、第１から第６のいずれかの発明において、撮像装置はズレ調整部をさらに備える。ズレ調整部は、光学素子の切り替えに伴う検出部への入射光のズレを調整する。
【０００９】
第１０の発明は、第１から第６のいずれかの発明において、撮像装置は補正部をさらに備える。補正部は、光学素子の切り替えに伴う検出部への入射光のズレに基づいて、検出結果を補正する。
第１１の発明は、第１から第６のいずれかの発明において、検出部は、撮像部による撮像と同時に撮影条件にかかわる情報を検出する処理を実行できる。
【発明の効果】
【００１０】
本発明の撮像装置では、光学素子の反射光によって高画質の画像を撮影しつつ、撮影条件にかかわる情報を検出できる。
【発明を実施するための最良の形態】
【００１１】
（第１実施形態の説明）
図１および図２は、第１実施形態の電子カメラの構成を示す概要図である。本実施形態の電子カメラは、カメラ本体１１と、レンズユニット１２とを有している。
ここで、カメラ本体１１およびレンズユニット１２には、雄雌の関係をなす一対のマウント（不図示）がそれぞれ設けられている。レンズユニット１２は、上記のマウントをバヨネット機構等で結合させることで、カメラ本体１１に対して交換可能に接続される。また、上記のマウントにはそれぞれ電気接点が設けられている。カメラ本体１１とレンズユニット１２との接続時には、電気接点間の接触で両者の電気的な接続が確立するようになっている。
【００１２】
レンズユニット１２は、ズームレンズおよびフォーカシングレンズを含む撮影レンズ１３と、入射光量を調節する絞り（不図示）とを有している。撮影レンズ１３のフォーカシングレンズは不図示のモータによって光軸方向に移動可能に構成されている。なお、便宜上、図１および図２では、レンズユニット１２内の撮影レンズ１３を１枚のレンズで図示する。
【００１３】
カメラ本体１１の内部には、半透過ミラー１４と、焦点検出ユニット１５と、光学的ローパスフィルタ（ＯＬＰＦ）１６と、撮像素子１７と、ファインダ光学系とを有している。また、カメラ本体１１の背面にはモニタ１８が配置されている。半透過ミラー１４および焦点検出ユニット１５は、撮影レンズ１３の光軸に沿って配置されている。半透過ミラー１４は焦点検出ユニット１５の前方に位置し、撮影レンズ１３と焦点検出ユニット１５とを結ぶ直線上に半透過ミラー１４が配置された状態となっている。
【００１４】
ＯＬＰＦ１６および撮像素子１７はカメラ本体１１の下部に配置されている。そして、ＯＬＰＦ１６は半透過ミラー１４と撮像素子１７との間に配置されている。一方、ファインダ光学系はカメラ本体１１の上部に配置されている。すなわち、ＯＬＰＦ１６および撮像素子１７と光学ファインダとは、それぞれ上記の直線と交差する方向に配置されている。
【００１５】
ここで、半透過ミラー１４は平板状に形成されており、反射面には半透過膜が蒸着されている。この半透過ミラー１４は、撮影レンズ１３を通過した光束を２方向に分岐させる役目を果たす。また、半透過ミラー１４は回動可能に軸支されており、第１状態と第２状態とを切り替え可能に構成されている。
図１は、半透過ミラー１４の第１状態を示す図である。第１状態の半透過ミラー１４は反射面が上向きになるように傾斜配置される。この第１状態の半透過ミラー１４は、撮影レンズ１３からの光束を上方へ反射してファインダ光学系に導く。一方、第１状態の半透過ミラー１４を透過する光束は、後方に配置された焦点検出ユニット１５に導かれる。
【００１６】
図２は、半透過ミラー１４の第２状態を示す図である。第２状態の半透過ミラー１４は第１状態から図中前後方向にほぼ９０°回転した位置にあり、反射面が下向きになるように傾斜配置される。この第２状態の半透過ミラー１４は、撮影レンズ１３からの光束を下方へ反射してＯＬＰＦ１６および撮像素子１７に導く。一方、第２状態においても半透過ミラー１４を透過する光束は、後方に配置された焦点検出ユニット１５に導かれる。
【００１７】
ファインダ光学系は、拡散スクリーン（焦点板）１９と、コンデンサレンズ２０と、ペンタプリズム２１と、アイピースシャッタ２２と、接眼レンズ２３とを有している。拡散スクリーン１９は半透過ミラー１４の上方に位置し、第１状態の半透過ミラー１４で反射された光束が一旦結像する。拡散スクリーン１９上で結像した光束はコンデンサレンズ２０およびペンタプリズム２１を通過し、ペンタプリズム２１の入射面に対して９０°の角度を持った射出面に導かれる。そして、ペンタプリズム２１を通過した光束は、接眼レンズ２３を介してユーザーの目に到達することとなる。
【００１８】
また、アイピースシャッタ２２は、ペンタプリズム２１の射出面と接眼レンズ２３との間に配置される。アイピースシャッタ２２は、半透過ミラー１４が第１状態にあるときに上方に移動して開状態となり、半透過ミラー１４が第２状態にあるときに下方に移動して閉状態となる。
図３は第１実施形態のカメラ本体１１のブロック図である。カメラ本体１１は、上記の焦点検出ユニット１５、撮像素子１７、モニタ１８に加えて、Ａ／Ｄ変換部２４と、バッファメモリ２５と、画像処理部２６と、記録Ｉ／Ｆ２７と、表示Ｉ／Ｆ２８と、操作部２９と、レリーズ釦３０と、エリアセンサ３１と、ＣＰＵ３２およびシステムバス３３とを有している。なお、バッファメモリ２５、画像処理部２６、記録Ｉ／Ｆ２７、表示Ｉ／Ｆ２８およびＣＰＵ３２はシステムバス３３を介して接続されている。
【００１９】
焦点検出ユニット１５は、半透過ミラー１４を透過した光束に基づいて、いわゆる位相差検出式で焦点検出を行ない、撮影条件を決定する。具体的には、焦点検出ユニット１５は不図示のセパレータレンズで分割した被写体像の像ズレ量を検出し、フォーカシングレンズのデフォーカス量（合焦位置からのズレ量およびズレ方向）を演算する。この焦点検出ユニット１５の入出力はＣＰＵ３２に接続されている。
【００２０】
撮像素子１７は、第２状態の半透過ミラー１４の反射光を光電変換して被写体像を撮影する。撮像素子１７の出力はＡ／Ｄ変換部２４に接続されている。また、撮像素子１７は、撮影時に記録用画像（本画像）を撮影するとともに、撮影待機時（非撮影時）にも所定間隔毎に間引き読み出しを行って、スルー画像のデータを出力することができる。上記のスルー画像のデータは、ＣＰＵ３２による各種の演算処理やモニタ１８等での表示などに使用される。
【００２１】
Ａ／Ｄ変換部２４は撮像素子１７の出力信号のＡ／Ｄ変換を行う。このＡ／Ｄ変換部２４の出力はバッファメモリ２５に接続されている。バッファメモリ２５は、画像処理部２６での画像処理の前工程および後工程でのデータを一時的に保存する。
画像処理部２６は、撮像素子１７から出力された画像信号に所定の画像処理（欠陥画素補正、ガンマ補正、補間、色変換、エッジ強調などの処理）を施して画像データを生成する。また、画像処理部２６では画像データの圧縮伸長処理なども実行する。さらに、画像処理部２６は、後述の電子モニタモードにおいて、ＣＰＵ３２の指示によりスルー画像のデータから表示用画像（ビュー画像）を生成する。
【００２２】
記録Ｉ／Ｆ２７には記録媒体３４を接続するためのコネクタが形成されている。そして、記録Ｉ／Ｆ２７は、コネクタに接続された記録媒体３４に対して撮影画像データの書き込み／読み込みを実行する。上記の記録媒体３４は、ハードディスクや半導体メモリを内蔵したメモリカードなどで構成される。なお、図１および図２では記録媒体３４の一例としてメモリカードを図示する。
【００２３】
表示Ｉ／Ｆ２８は、ＣＰＵ３２の指示に基づいてモニタ１８の表示を制御する。モニタ１８は、ＣＰＵ３２および表示Ｉ／Ｆ２８の指示に応じて各種画像を表示する。このモニタ１８には、後述の電子モニタモードにおいてビュー画像が動画表示される。また、モニタ１８は、オンスクリーン機能によって、撮影に必要となる各種情報の表示（例えば、撮影可能なフレーム数、焦点検出エリアの位置など）をビュー画像に重畳表示させることもできる。さらに、モニタ１８には、本画像のデータに基づく再生画像や、ＧＵＩ(Graphical User Interface)形式の入力が可能なメニュー画面なども表示できる（なお、モニタ１８における画面表示の図示は省略する）。
【００２４】
操作部２９は、電子カメラのモード切り替え入力をユーザーから受け付ける。ここで、第１実施形態では、ユーザーは、インターフェースに関する２つのモードの切替と、撮影に関する３つのモードの切替とを操作部２９で行うことができる。インターフェースに関するモードの切替では、光学ファインダモードと電子モニタモードとのいずれかをユーザーが選択できる。また、撮影に関するモードの切替では、単写モードと、連写モードと、動画モードとのいずれかをユーザーが選択できる。したがって、第１実施形態では、ユーザーは、上記のモードの組み合わせで合計６種類のモードを設定できる。なお、各々のモードの詳細な説明については後述する。
【００２５】
レリーズ釦３０は、半押しによる撮影条件決定の指示入力と、全押しによる露光開始の指示入力とをユーザーから受け付ける。
受光素子（光電変換素子）を二次元に配列したエリアセンサ３１は、撮影レンズ１３からの光束によって撮影画面を複数に分割して測光可能となっている。このエリアセンサ３１の出力はＣＰＵ３２に接続されている。なお、エリアセンサ３１は、例えばペンタプリズム２１の近傍に配置されている。
【００２６】
ＣＰＵ３２は、操作部２９の入力に基づいて上記のモードの切替を行うとともに、各々のモードに応じて電子カメラ全体の動作を制御する。例えば、ＣＰＵ３２は半透過ミラー１４およびアイピースシャッタ２２の駆動制御や、撮影時の画像処理プロセスの制御などを実行する。また、ＣＰＵ３２は、焦点検出ユニット１５のデフォーカス量に基づいて、マウントに設けられた電気接点を介してフォーカスレンズの動作を制御する。さらに、ＣＰＵ３２は、エリアセンサ３１の出力に基づいて公知の自動露出（ＡＥ）演算を実行して撮影条件を決定する。
【００２７】
以下、第１実施形態の電子カメラにおける動作を、光学ファインダモードの場合と電子モニタモードの場合とに分けて説明する。最初に、光学ファインダモードが選択されている場合を説明する。
光学ファインダモードでの撮影待機時には、ＣＰＵ３２は半透過ミラー１４を第１状態にするとともに、アイピースシャッタ２２を開状態とする。したがって、撮影レンズ１３を通過した光束のうち、半透過ミラー１４で反射した光束は光学ファインダに導かれる。そのため、ユーザーは接眼レンズ２３から撮影画面の状態を観察して、撮影構図を決定するためのフレーミングを行うことができる。また、撮影レンズ１３を通過した光束のうち、半透過ミラー１４を透過する光束は焦点検出ユニット１５に導かれる。
【００２８】
レリーズ釦３０が半押しされた場合には、ＣＰＵ３２は半透過ミラー１４を移動させることなく、焦点検出ユニット１５からデフォーカス量を取得してＡＦを実行する。なお、上記の各動作は、単写モード、連写モード、動画モードのいずれの場合も共通する。
そして、光学ファインダモードでレリーズ釦３０が全押しされると、ＣＰＵ３２は撮影を開始する。このとき、ＣＰＵ３２は半透過ミラー１４を図中前後方向に回動させて第２状態にする。これにより、撮影レンズ１３を通過した光束のうち、半透過ミラー１４で反射した光束は撮像素子１７に導かれる。また、第２状態においても、撮影レンズ１３を通過した光束のうち、半透過ミラー１４を透過する光束は焦点検出ユニット１５に導かれる。さらに、ＣＰＵ３２はアイピースシャッタ２２を閉状態にして、光学ファインダから撮像素子１７に入射する迷光をカットする。その後、ＣＰＵ３２は撮像素子１７を駆動させて被写体を撮影し、画像処理部２６に本画像のデータを生成させる。なお、本画像のデータは最終的に記録媒体３４に記録される。
【００２９】
ここで、光学ファインダモードとともに単写モードが選択されている場合には、ＣＰＵ３２はレリーズ釦３０の全押しに応じて１フレーム分の本画像の撮影を行う。そして、本画像の撮影が終了した後に、ＣＰＵ３２は半透過ミラー１４およびアイピースシャッタ２２を上記の撮影待機時の状態に戻す。
光学ファインダモードとともに連写モードが選択されている場合には、ＣＰＵ３２はレリーズ釦３０の全押しが解除されるまで複数フレームの本画像を連写撮影する。このとき、ＣＰＵ３２は、焦点検出ユニット１５を動作させて連写撮影中にもＡＦを実行する。また、連写モードにおいてレリーズ釦３０の全押しが継続している間は、ＣＰＵ３２は本画像の確認用画像（フリーズ画像）をモニタ１８に順次表示することもできる。ユーザーはモニタ１８のフリーズ画像を確認しつつ、撮影を行うことが可能である。そして、レリーズ釦３０の全押しが解除されると、ＣＰＵ３２は連写撮影を終了して半透過ミラー１４およびアイピースシャッタ２２を上記の撮影待機時の状態に戻す。
【００３０】
光学ファインダモードとともに動画モードが選択されている場合には、ＣＰＵ３２はレリーズ釦３０の全押しが解除されるまで動画像の撮影を継続する。この動画モードでは、ＣＰＵ３２は１フレーム当たりの解像度（画像サイズ）を連写モードの場合よりも低く設定し、転送速度や記録時間の長さを画質よりも重視した撮影を行う。このとき、ＣＰＵ３２は、焦点検出ユニット１５を動作させて動画撮影中にもＡＦを実行する。
【００３１】
また、動画モードにおいてレリーズ釦３０の全押しが継続している間は、ＣＰＵ３２は撮影した動画像をモニタ１８に表示する。ユーザーはモニタ１８の画像を観察しつつ撮影を行うことが可能である。そして、レリーズ釦３０の全押しが解除されると、ＣＰＵ３２は動画撮影を終了して半透過ミラー１４およびアイピースシャッタ２２を上記の撮影待機時の状態に戻す。
【００３２】
次に、電子モニタモードが選択されている場合を説明する。なお、以下の説明において、単写モード、連写モード、動画モードについての重複説明は省略する。
電子モニタモードに設定されている場合には、ＣＰＵ３２は半透過ミラー１４を第２状態に維持するとともに、アイピースシャッタ２２を閉状態とする。すなわち、電子モニタモードでは、撮影レンズ１３を通過した光束のうち、半透過ミラー１４で反射した光束は常に撮像素子１７に導かれる。そして、撮像素子１７が所定間隔毎にスルー画像を撮影し、画像処理部２６がスルー画像のデータに基づいてビュー画像を逐次生成する。撮影待機時のモニタ１８にはビュー画像が動画表示される。したがって、ユーザーはモニタ１８のビュー画像によって、撮影構図を決定するためのフレーミングを行うことができる。
【００３３】
また、電子モニタモードでは、撮影レンズ１３を通過した光束のうち、半透過ミラー１４を透過する光束は常に焦点検出ユニット１５に導かれる。そのため、ＣＰＵ３２は、本画像またはスルー画像の撮影時においても焦点検出ユニット１５からデフォーカス量を取得してＡＦを実行できる。
ここで、電子モニタモードとともに単写モードが選択されている場合には、ＣＰＵ３２はレリーズ釦３０の半押しに応じてＡＦを実行する。そして、ＣＰＵ３２はレリーズ釦３０の全押しに応じて１フレーム分の本画像の撮影を行う。なお、本画像の撮影時には本画像の画像処理等を優先させるため、ＣＰＵ３２はビュー画像のモニタ１８での表示を一時中断してもよい。また、ＣＰＵ３２は本画像の撮影後にフリーズ画像をモニタ１８に表示してもよい。
【００３４】
電子モニタモードとともに連写モードが選択されている場合には、ＣＰＵ３２はレリーズ釦３０の半押しに応じてＡＦを実行する。そして、ＣＰＵ３２はレリーズ釦３０の全押しに応じて連写撮影を開始し、レリーズ釦３０の全押しが解除されるまで複数フレームの本画像を撮影する。このとき、ＣＰＵ３２は、焦点検出ユニット１５を動作させて連写撮影中にもＡＦを実行する。また、連写モードにおいてレリーズ釦３０の全押しが継続している間は、ＣＰＵ３２はフリーズ画像をモニタ１８に順次表示することもできる。そして、レリーズ釦３０の全押しが解除されると、ＣＰＵ３２は連写撮影を終了して撮影待機時の状態に移行する。
【００３５】
電子モニタモードとともに動画モードが選択されている場合には、ＣＰＵ３２はレリーズ釦３０の半押しに応じてＡＦを実行する。そして、ＣＰＵ３２はレリーズ釦３０の全押しに応じて動画撮影を開始し、レリーズ釦３０の全押しが解除されるまで動画像の撮影を継続する。このとき、ＣＰＵ３２は、焦点検出ユニット１５を動作させて動画撮影中にもＡＦを実行する。動画モードでは、ＣＰＵ３２は撮影した動画像をモニタ１８に表示する。そして、レリーズ釦３０の全押しが解除されると、ＣＰＵ３２は動画撮影を終了して撮影待機時の状態に移行する。
【００３６】
以下、第１実施形態の電子カメラの効果を述べる。
第１実施形態の電子カメラは、撮影レンズ１３からの光束を半透過ミラー１４が反射して光学ファインダまたは撮像素子１７のいずれかに選択的に導くとともに、常に半透過ミラー１４の透過光を焦点検出ユニット１５に導く。そのため、第１実施形態の電子カメラでは、本画像の撮影時においても焦点検出ユニット１５による位相差検出方式のＡＦを実行できる。これにより、動きの激しい被写体に対して、より正確に焦点を合わせることができる等の利便性を供することができる。また、第１実施形態の電子カメラでは、撮影と位相差検出方式のＡＦとを同時に行う場合には半透過ミラー１４の反射光で撮影を行うため、半透過ミラーの透過光による撮影の場合と比べて高画質の画像を撮影することができる。
【００３７】
さらに、第１実施形態の電子カメラでは、半透過ミラー１４を第１状態と第２状態とで切り替える光学ファインダモードと、半透過ミラー１４を第２状態に維持してモニタ１８で被写体を観察できる電子モニタモードとを選択できる。そのため、ユーザー毎に使い勝手のよいインターフェースを選択でき、多くのユーザーにとって操作性が良好な電子カメラを提供できる。
【００３８】
（第２実施形態の説明）
図４および図５は、第２実施形態の電子カメラの構成を示す概要図である。ここで、第２実施形態の電子カメラは第１実施形態の変形例であって、第１実施形態と共通の構成には同一符号を付して重複説明を省略する。
第２実施形態では、半透過ミラー１４の一面には半透過膜が蒸着されて反射面を構成している。一方、半透過ミラー１４の他面には反射防止膜が形成されている。そして、半透過ミラー１４は図中上下方向に約９０°の範囲で回動可能なように軸支されている。
【００３９】
図４は、第２実施形態での半透過ミラー１４の第１状態を示す図である。第１状態の半透過ミラー１４は、他面側が撮影レンズに相対するように傾斜配置される。したがって、撮影レンズ１３を通過した光束は半透過ミラー１４の他面側から入射する。そして、半透過ミラー１４の一面側の半透過膜で反射された光束は上方に位置する光学ファインダに導かれる。ここで、半透過ミラー１４の他面側には反射防止膜が形成されているので、半透過ミラー１４の他面側と一面側とで反射された光束がともに光学ファインダに入射して像がボケることはない。また、半透過ミラー１４を透過した光束は、焦点検出ユニット１５に導かれる。
【００４０】
図５は、第２実施形態での半透過ミラー１４の第２状態を示す図である。第２状態の半透過ミラー１４は、一面側が撮影レンズに相対するように傾斜配置されている。したがって、撮影レンズ１３を通過した光束は半透過ミラー１４の一面側に入射する。そして、半透過ミラー１４の一面側の半透過膜で反射された光束は下方に位置する撮像素子１７に導かれる。また、第２状態でも半透過ミラー１４を透過した光束は、焦点検出ユニット１５に導かれる。
【００４１】
さらに、第２実施形態では、ペンタプリズム２１の射出面と接眼レンズ２３との間に電子ファインダユニットが内蔵されている。この電子ファインダユニットは、アイピースシャッタを兼ねるミラー３５と、ＬＣＤ３６およびバックライト３７と、ＬＣＤ３６の前方に配置された投影用レンズ３８とで構成されている。なお、ＬＣＤ３６は表示Ｉ／Ｆ２８に接続されている（なお、第２実施形態においてカメラ本体１１のブロック図の図示は省略する）。
【００４２】
ここで、半透過ミラー１４が第１状態にあるときには、図４に示すように、ミラー３５は上方に退避した状態となっている。またＬＣＤ３６およびバックライト３７はオフとなっている。そのため、ユーザーは光学ファインダによって被写体像を観察できる。
一方、半透過ミラー１４が第２状態にあるときには、図５に示すように、ミラー３５は下方に移動して、ペンタプリズム２１の射出面と接眼レンズ２３との間に割り込んだ状態となる。そのため、接眼レンズ２３から入射する光束はミラー３５によって遮られる。また、ＬＣＤ３６およびバックライト３７はオンとなり、ＬＣＤ３６には第１実施形態で説明したモニタ１８の表示と同様の画像が出力される。そして、ＬＣＤ３６の表示画像（撮像素子１７で撮影されたスルー画像など）はミラー３５で反射されて接眼レンズ２３の光軸上に導かれる。そのため、上記の第２状態において、ユーザーはＬＣＤ３６の表示画像を接眼レンズ２３で観察することができる。
【００４３】
ここで、ＣＰＵ３２は、メニュー画面等での設定に応じて、第２状態においてＬＣＤ３６のみに画像を出力するモードと、第２状態においてＬＣＤ３６およびモニタ１８の両方に画像を出力するモードとを切り替えることもできる。
また、第２実施形態において、光学ファインダモードかつ単写モードが選択されている場合には半透過ミラー１４が第２状態にある時間が極めて短い。この場合には、ＣＰＵ３２はＬＣＤ３６を単色表示するなどの手段でユーザーの目障りとならない表示を行うか、あるいはＬＣＤ３６およびバックライト３７の両方をオフにすることが好ましい。
【００４４】
上記の第２実施形態の構成によっても、第１実施形態とほぼ同様の効果を得ることができる。さらに第２実施形態では半透過ミラー１４が上下方向に回動するので、第１実施形態よりもＯＬＰＦ１６を半透過ミラー１４に寄せて配置することができる。したがって、第２実施形態ではＯＬＰＦ１６と撮像素子１７との距離を大きくできるので、ＯＬＰＦ１６の上にゴミなどが付着した場合でも、本画像などの画質への影響を最小限に抑えることができる。
【００４５】
また、第２実施形態では電子ファインダユニットによって、第１実施形態でのモニタ１８の表示画像と同様の画像を接眼レンズ２３で観察できる。すなわち、ユーザーは接眼レンズ２３を覗き込んだまま被写体を継続して観察できるので、カメラの持ち替えなどに起因する手ブレなどを抑制することができる。特に、光学ファインダモードで連写モードまたは動画モードに設定されている場合には上記の効果が顕著である。
【００４６】
（実施形態の補足事項）
（１）上記実施形態において、半透過ミラー１４が第１状態にあるときと第２状態にあるときとで、半透過ミラー１４を透過して焦点検出ユニット１５に導かれる光束の光軸にわずかなズレが生じる。したがって、焦点検出ユニット１５のＡＦエリアの位置が半透過ミラー１４の切替でズレることとなる。この影響を小さくするためには、半透過ミラー１４の厚さをできるだけ薄くすることが好ましい。一例として、半透過ミラー１４の厚さを０．５ｍｍ以下にするのが好ましい。また、上記の半透過ミラー１４として薄膜状のペリクルミラーを使用してもよい。なお、半透過ミラー１４を薄くすることで、焦点検出ユニット１５に結像する画像の画質劣化を最小限にする効果も期待できる。
【００４７】
（２）また、上記（１）での光軸ズレの対策として、半透過ミラー１４の切り替えに伴う焦点検出ユニット１５への入射光のズレを調整する構成を設けてもよい。例えば、図６に示すように、焦点検出ユニット１５の前方にガラスなどの平行平板３９を配置し、この平行平板３９を半透過ミラー１４の動きに合わせて回動させて入射光のズレを調整してもよい。あるいは、図７に示すように、焦点検出ユニット１５を上下方向にスライドさせる駆動機構４０を設けて、半透過ミラー１４の動きに合わせて焦点検出ユニット１５を機械的に移動させて入射光のズレを調整してもよい。
【００４８】
（３）さらに、上記（１）での光軸ズレの対策として、半透過ミラー１４の切り替えに伴う焦点検出ユニット１５への入射光のズレを調整するための補正部を焦点検出ユニット１５に設けてもよい。例えば、第１状態に対応するＡＦエリアと、第２状態とに対応するＡＦエリアとを焦点検出ユニット１５に別々に設けておき、ＣＰＵ３２が半透過ミラー１４の切り替えに応じて焦点検出に使用するＡＦエリアを切り替えてもよい。
【００４９】
図８に上記の場合におけるＡＦエリアのラインセンサの配置例を示す。図８の例では、第１状態でＡＦに用いる一対のラインセンサと、第２状態でＡＦに用いる一対のラインセンサとがそれぞれ配置されている。各々のラインセンサは入射光のズレの量に対応するように上下方向にずらして配置されている。なお、図８では横方向に延長するラインセンサの例を示したが、縦方向に延長するラインセンサについては、同一のラインセンサのうち、その出力に用いる範囲とズラすことでも、上述のケースに対応させることができる。
【００５０】
（４）上記実施形態では半透過ミラー１４の透過光を焦点検出ユニット１５に導く構成を説明したが、例えば焦点検出ユニット１５に代えてエリアセンサ３１を配置し、動画等の撮影時にもエリアセンサ３１によってＡＥ演算を行なうようにしてもよい。また、焦点検出ユニット１５の近傍にエリアセンサ３１を配置し、動画等の撮影時に半透過ミラー１４の透過光でＡＦとＡＥとを同時に行なう構成としてもよい。
【００５１】
（５）第２実施形態では撮像素子１７の前方にＯＬＰＦ１６を配置する例を説明したが、カバーガラスや赤外カットフィルタなどが配置される場合であっても、同様の効果を享受できる。
（６）なお、本発明の電子カメラの構成は上記実施形態の構成に限定されることはない。例えば、第１実施形態の電子カメラに第２実施形態の電子ファインダユニットを実装してもよい。あるいは、第２実施形態の電子カメラにおいて、電子ファインダユニットの代わりにアイピースシャッタ２２を実装するようにしてもよい。
【図面の簡単な説明】
【００５２】
【図１】第１実施形態において半透過ミラーの第１状態を示す図
【図２】第１実施形態において半透過ミラーの第２状態を示す図
【図３】第１実施形態のカメラ本体のブロック図
【図４】第２実施形態において半透過ミラーの第１状態を示す図
【図５】第２実施形態において半透過ミラーの第２状態を示す図
【図６】焦点検出ユニットへの入射光のズレを調整する構成の一例を示す図
【図７】焦点検出ユニットへの入射光のズレを調整する構成の一例を示す図
【図８】焦点検出ユニットのラインセンサの配置例を示す説明図
【符号の説明】
【００５３】
１３…撮影レンズ、１４…半透過ミラー、１５…焦点検出ユニット、１７…撮像素子、１９…拡散スクリーン（焦点板）、２０…コンデンサレンズ、２１…ペンタプリズム、２２…アイピースシャッタ、２３…接眼レンズ、２８…表示Ｉ／Ｆ、２９…操作部、３１…エリアセンサ、３２…ＣＰＵ、３５…ミラー、３６…ＬＣＤ、３７…バックライト、３８…投影用レンズ、３９…平行平板、４０…駆動機構
【図１】
2008014998.tif 000003
【図２】
2008014998.tif 000004
【図３】
2008014998.tif 000005
【図４】
2008014998.tif 000006
【図５】
2008014998.tif 000007
【図６】
2008014998.tif 000008
【図７】
2008014998.tif 000009
【図８】
2008014998.tif 000010